(57)【要約】【課題】陽子ができた場のAは、電子のラブができた場のAの1836倍としたが、これは誤りです。陽子のラブと電子のラブは自転していたのか、公転していたのか。陽子のラブの集団とその周囲の電子のラブの集団の状態はどのようであるか。陽子のラブの集団と電子のラブの集団の間の引力はいくらか。ビッグバンはどうしておきたか。【解決手段】陽子ができた場のA=3.421×1041aを使って計算すると、陽子のラブのエネルギーは電子のラブの18362倍になる。これは、電子のラブの質量が1836倍であるのに、Aも1836倍にしているからです。電子のラブの大きさを、地表の電子のラブの自転軌道÷A、で計算した値と、電子のラブの大きさ＝電磁気の軌道×(7.028×1017)1/3、の式で計算した値が同じであると、電子のラブは自転している事になる。引力＝陽子のラブの集団の引力×電子のラブの集団の引力÷距離2により求める。ビッグバンは陽子のラブの集団と電子のラブの集団の間の引力が大きくなり衝突し、水素ができたのでおきた。【選択図】図１
2012105368.tif 000002
【特許請求の範囲】
【請求項１】
電子のラブができた場において、電子のラブは自転していたのか、それとも公転していたのか。
電子のラブの大きさは、電磁気の軌道×(7.028×1017)1/3＝電磁気の軌道×8.891×105、の式で計算した場合、電子のラブの大きさ＝電磁気の軌道×8.891×105＝6.611×10−80m÷a2×8.891×105＝5.878 ×10−74÷a2、です。
電子のラブの大きさは、地表の電子のラブの大きさ÷A、の式で計算した場合、電子のラブの大きさは電子のラブの自転の大きさです。それで、電子のラブの大きさは自転軌道です。
別な考えを示します。
また、電子のラブの大きさ＝地表の電子のラブの大きさ÷A＝4.18×10−18m÷(1.865×1038a)=2.241×10−56÷am
電子のラブの公転軌道(もし公転しているとしたら)＝8.665×10−24Jm÷電子のラブのエネルギー＝8.665×10−24Jm÷(電磁気の質量エネルギー×7.028×1017個)＝8.665×10−24Jm÷(2.175×10７aJ×7.028×1017個)=5.669×10-49÷am
電子のラブの自転軌道＝電子のラブの公転軌道×3.14÷自転数＝電子のラブの公転軌道×3.14÷(7.96×107)＝5.669×10-49÷am×3.14÷(7.96×107)＝2.236×10−56÷am
よって、電子のラブの自転軌道＝2.236×10−56÷amであり、電子のラブの大きさ＝地表の電子のラブの大きさ÷A＝2.241×10−56÷amであり、電子のラブの大きさは、電子のラブの自転軌道である。電子のラブは自転している。
例えば、放出した電磁気のエネルギーが1.233×10−17Jの場合は、
電子のラブの自転軌道＝2.236×10−5６÷am＝2.236×10−56÷(1.233×10−17)m＝1.813×10−39m、です。
よって、電子のラブができた場において、電子のラブは自転だけしていた。公転はしていない。
【請求項２】
陽子のラブができた場において、陽子のラブは自転だけしていたのか、それとも公転していたのか。
陽子のラブの公転軌道(もし公転しているとしたら)＝8.665×10−24Jm÷陽子のラブのエネルギー＝8.665×10−24Jm÷(電磁気の質量エネルギー×1.289×1021個)＝8.665×10−24Jm÷(3.989×1010aJ×1.289×1021個)=1.685×10-55÷am
陽子のラブの自転軌道＝陽子のラブの公転軌道×3.14÷自転数＝陽子のラブの公転軌道×3.14÷(4.34×104)＝1.685×10-55÷am×3.14÷(4.34×104)＝1.219×10−59÷am
ここで問題が発生しました。
電子のラブの自転軌道と陽子のラブの自転軌道は等しいはずであるのに、電子のラブの自転軌道＝2.236×10−56÷am、であり、陽子のラブの自転軌道＝1.219×10−59÷am、です。
電子のラブの自転軌道は陽子のラブの自転軌道の、2.236×10−56÷am÷(1.219×10−59÷am)＝1.834×103、倍です。
この間違いはどこでおきたか。
【請求項３】
陽子のラブは、陽子ができた場において、どのような状態であったか。
陽子のラブができた場のAは、電子のラブができた場のAの1836倍高エネルギーの場である事は正しいです。これは、電磁気と磁気の光子の場合は正しいです。
しかし、陽子のラブの場合は、陽子のラブの質量エネルギーを電子のラブの1836倍にしていますから、更にエネルギーを1836倍にすると、18362倍になります。軌道は、18362分の1になります。
それで、陽子のラブのエネルギーや軌道を求める場合は、陽子のラブができた場のAは、電子のラブができた場のAとします。
陽子のラブの質量エネルギーが電子のラブの質量エネルギーの1836倍になっているからです。
電子のラブができた場においては、電子のラブができていて、その場の1836倍のエネルギーの場で、電子のラブが1836個集まって、陽子のラブができます。
電子のラブができた場において、電磁気は電子のラブになった。そして、陽子のラブができた場では、電磁気は存在しない。存在するのは、電子のラブが1836個集まった陽子のラブです。
もし、電磁気が存在するならば、そのエネルギーや軌道や質量エネルギーを求めるAは、3.421×1041aです。
陽子のラブのエネルギーや軌道や質量エネルギーを求めるAは、1.865×1038aです。
陽子のラブの大きさ＝電磁気の軌道×(1.289×1021)1/3=1.233×10−41Jm÷電磁気のエネルギー×(1.289×1021)1/3＝1.233×10−41Jm÷AaJ×(1.289×1021)1/3＝1.233×10−41Jm÷(1.865×1038a2J)×1.088×107＝7.193×10−73÷a2m
陽子のラブの大きさ＝地表の陽子のラブの大きさ÷A＝4.18×10−18m÷A＝4.18×10−18m÷(1.865×1038a)＝2.241×10−56÷am
陽子のラブのエネルギー＝電磁気の質量エネルギー×1.289×1021×A＝1.296×10−48Kg×9×1016×1.289×1021×A=1.296×10−48Kg×9×1016×1.289×1021×1.865×1038a＝2.804×1028aJ
陽子のラブのエネルギー＝地表の陽子のラブのエネルギー×A＝1.5×10−10J×1.865×1038a＝2.798×1028 aJ
これらの式により、各々の放出した電磁気について、できた陽子の大きさと陽子のエネルギーを求める。
各々の放出した電磁気について、できた陽子の大きさと陽子のエネルギーの状態を表に示す。
表13
2012105368.tif 000015
【請求項４】
陽子のラブの大きさと電子のラブの大きさについて。
電子のラブができた場の陽子のラブの大きさは、地表の陽子のラブの大きさ÷A＝4.18×10−18m÷(1.865×1038a)＝2.241×10−56÷am
電子のラブができた場の電子のラブの大きさは、地表の電子のラブの自転軌道÷A＝4.18×10−18m÷(1.865×1038a)＝2.241×10−56÷am
この式では、陽子のラブの大きさは電子のラブの大きさと同じです。
本来陽子のラブの自転軌道と、電子のラブの自転軌道は同じであるはずです。
陽子のラブの大きさ＝電磁気の軌道×(1.289×1021)1/3=1.233×10−41Jm÷電磁気のエネルギー×(1.289×1021)1/3＝1.233×10−41Jm÷AaJ×(1.289×1021)1/3＝1.233×10−41Jm÷(1.865×1038a2J)×1.088×107＝7.193×10−73÷a2m
電子のラブができた場の陽子のラブの大きさは、電磁気の軌道×(1.289×1021)1/3=電子のラブができた場の電磁気の軌道×1.088×107＝6.611×10−80m÷a2×1.088×107＝7.193×10−73÷a2m、です。
電子のラブができた場の電子のラブの大きさは、電磁気の軌道×(7.028×1017)1/3=電磁気の軌道×8.891×105=6.611×10−80m÷a2×8.891×105=5.878×10−74÷a2m
ここで問題が発生しました。
本来陽子のラブの自転軌道と、電子のラブの自転軌道は同じであるはずです。
それなのに、電磁気の軌道で計算すると、陽子のラブの大きさは電子のラブの大きさの、陽子のラブの大きさ÷電子のラブの大きさ＝7.193×10−73÷a2m÷(5.878×10−74÷a2m)＝12.24、倍です。
これは、1.088×107÷(8.891×105)＝12.24、倍による差です。
この式では、陽子のラブの大きさは電子のラブの大きさの12.24、倍です。
各々の放出した電磁気について、陽子のラブの大きさと電子のラブの大きさを表に示す。
表14
2012105368.tif 000016
【請求項５】
ビッグバンの以前の様子はどのようであったか。陽子のラブの集団と電子のラブの集団はどのようになっていたか。
ビッグバンの以前、電子のラブができた場の様子は、中央に陽子のラブの集団が存在し、その周囲に電子のラブの集団が球状に、まるでボールの皮のように存在する。
中央に存在する陽子のラブの集団の大きさはいくらか。
陽子のラブの集団の大きさ＝陽子のラブの大きさ×原子数1/3
電子のラブが存在する球体の半径＝陽子のラブの集団の大きさ÷2×1836
電子のラブが存在する球体の半径に何この電子のラブが存在できるか。
電子のラブが存在する球体の半径に存在できる電子のラブの数＝球体の半径÷電子のラブの大きさ
電子のラブが存在する球体の表面に何この電子のラブが存在するか。
電子のラブが存在する球体の表面に存在する電子のラブの数＝4π半径に存在できる電子のラブの数２
電子のラブが存在する球体の表面に電子のラブは何段になって存在するか。
球体の表面の電子のラブの段数＝原子数÷表面に存在する電子のラブの数
球体表面の電子のラブの段数は何mか。厚さは何mか。
球体の表面の電子のラブの厚さ＝表面の電子のラブの段数×電子のラブの大きさ
これらの式により、各々の放出した電磁気について、陽子のラブの大きさやその周囲の電子のラブの球体の様子を理解できる。
各々の放出した電磁気について、陽子のラブの大きさやその周囲の電子のラブの球体の様子を表に示す。
表15
2012105368.tif 000017
この表により理解できる事。
a.陽子のラブの集団の大きさは7.84×10−11mです。
b.球体の半径は7.2×10−8mです。
c.球体の表面の電子のラブの厚さは4.0×10−21mです。
【請求項６】
ビッグバンの以前、陽子のラブの集団が作る引力と、電子のラブの集団が作る引力はいくらか。
陽子のラブの集団が作る引力。
1Kgでできる引力は(6.672×10−11J)1/2 J/Kg2です。
陽子のラブの集団が作る引力＝１Kgでできる引力×原子数×1陽子の質量×電子のラブができる場のA＝(6.672×10−11J)1/2 J/Kg×原子数×1.67265×10−27Kg×1.865×1038a=8.168
×10−6J/Kg×原子数×1.67265×10−27Kg×1.865×1038a=原子数×2.548×106aJ
電子のラブの集団が作る引力。
ボーア磁子は9.274×10−24J/Tです。核磁子は5.0508×10−27J/Tです。ボーア磁子は核磁子の、9.274×10−24J/T÷(5.0508×10−27J/T)＝1.836×103、倍です。
電子のラブが作る引力は陽子のラブが作る引力の1836倍です。そして、電子のラブの質量は陽子のラブの質量の1836分の１です。
よって、電子のラブが作る引力は、陽子のラブが作る引力と同じです。
電子のラブの集団が作る引力＝１Kgでできる引力×原子数×1電子のラブの質量×電子のラブができる場のA＝(6.672×10−11J)1/2 J/Kg×1836×原子数×9.1095×10−31Kg×1.865×1038a＝8.168×10−6J/Kg×1.836×103×原子数×9.1095×10−31Kg×1.865×1038a＝原子数×2.548×106aJ
よって、陽子のラブの集団が作る引力と電子のラブの集団が作る引力は等しい。
この式によって、各々の放出した電磁気について、電子のラブができた場の陽子のラブの集団が作る引力と電子のラブの集団が作る引力を求める。
各々の放出した電磁気について、電子のラブができた場の陽子のラブの集団が作る引力と電子のラブの集団が作る引力を表に示す。
表16
2012105368.tif 000018
【請求項７】
陽子のラブの集団と電子のラブの集団の間の引力はいくらだったか。
陽子のラブの集団と電子のラブの集団の間の引力は、陽子のラブの集団が作る引力×電子のラブの集団が作る引力÷球体の半径2、です。
各々の放出した電磁気について、陽子のラブの集団と電子のラブの集団の間の引力を計算する。
１eVの場合。
陽子のラブの集団と電子のラブの集団の間の引力＝(8.956×1060J)2÷(7.204×10−8m)2＝1.546×10136J
2.154×10−19Jの場合。
陽子のラブの集団と電子のラブの集団の間の引力＝(7.113×1061J)2÷(7.202×10−8m)2＝9.754×10137J
1.423×10−18Jの場合。
陽子のラブの集団と電子のラブの集団の間の引力＝(3.905×1067J)2÷(7.200×10−8m)2＝2.942×10149J
1.233×10−17Jの場合。
陽子のラブの集団と電子のラブの集団の間の引力＝(1.431×1074J)2÷(7.201×10−8m)2＝3.949×10162J
4.499×10−15Jの場合。
陽子のラブの集団と電子のラブの集団の間の引力＝(1.146×1092J)2÷(7.031×10−8m)2＝2.657×10198J
これを表に示す。
表17
2012105368.tif 000019
【請求項８】
ビッグバンはどうしておきたか。
ビッグバンは、陽子のラブの集団と電子のラブの集団の間の引力が強くなり、陽子のラブの集団と電子のラブの集団が引き合い、衝突し、水素原子ができる事によっておきた。
【請求項９】
水素はいつできたか。
陽子のラブの集団と電子のラブの集団が引き合い、衝突したとき、水素はできた。水素ができ体積が増加したので、空間は大きくなり、爆発した。これがビッグバンです。
【請求項１０】
水素原子ができる場のAはいくらか。
水素原子ができた時、電子のラブは公転します。公転軌道は自転軌道の、地表の公転軌道÷地表の自転軌道＝1.058×10−10m÷(4.18×10−18m)＝2.531×107、倍です。
それで、水素原子ができる場のAは、電子のラブができる場のA÷(2.531×107)＝1.865×1038a÷(2.531×107)＝7.369×1030a、です。
水素原子ができる場のAは7.369×1030a、です。
【請求項１１】
水素原子ができる場において、電子のラブの自転軌道と公転軌道はいくらか。
水素原子ができる場において、電子のラブの自転軌道＝地表の電子のラブの自転軌道÷A＝4.18×10−18m÷(7.369×1030a)＝5.672×10−49m÷a
水素原子ができる場において、電子のラブの自転軌道は、5.672×10−49m÷a、です。
水素原子ができる場において、電子のラブの公転軌道＝地表の電子のラブの公転軌道÷A＝1.058×10−10m÷(7.369×1030a)＝1.436×10−41m÷a
水素原子ができる場において、電子のラブの公転軌道は、1.436×10−41m÷a、です。
【請求項１２】
水素原子になった集団の大きさはいくらか。水素原子になった集団の体積はいくらか。
水素原子がもし、ぎっしり集まっていたと仮定する。
水素原子になった集団の大きさ＝電子のラブの公転軌道×原子数1/3=1.436×10−41m÷a×原子数1/3
水素原子になった集団の大きさは、1.436×10−41m÷a×原子数1/3、です。
水素原子になった集団の体積はいくらか。
水素原子になった集団の体積＝水素原子になった集団の大きさ3
【請求項１３】
水素原子になった集団の大きさは、電子のラブができた場の球体の大きさの何倍になったか。
水素原子になった集団の大きさ÷電子のラブができた場の球体の大きさ＝1.436×10−41m÷a×原子数1/3÷(2×電子のラブができた場の球体の半径)＝1.436×10−41m÷a×原子数1/3÷(2×7.2×10−8m)＝9.972×10−35÷a×原子数1/3
水素原子になった集団の大きさは、電子のラブができた場の球体の大きさの9.972×10−35÷a×原子数1/3倍になった。
【請求項１４】
水素原子になった集団の体積は、電子のラブができた場の球体の体積の何倍になったか。
水素原子になった集団の大きさは、電子のラブができた場の球体の大きさの9.972×10−35÷a×原子数1/3倍になったので、体積はこの値の3乗倍になった。
また、水素原子の集団の体積÷電子のラブができた場の球体の体積＝水素原子の集団の体積÷(2×7.2×10−8m)3＝水素原子の集団の体積÷(2.986×10−21)
この体積の増加によりビッグバンがおきた。
各々の電磁気について、水素原子ができる場のA、電子のラブの自転軌道と公転軌道、水素原子になった集団の大きさ、体積、水素原子になった集団の大きさは、電子のラブができた場の球体の大きさの何倍か、水素原子になった集団の体積は、電子のラブができた場の球体の体積の何倍かを表にして示す。
表18
2012105368.tif 000020
この表によって理解できる事。
a.放出した電磁気が1.233×10−17Jの場合、水素原子ができる場の電子のラブの自転軌道は4.600×10−32mであり、公転軌道は1.165×10−24mです。
b. 水素原子になった集団の体積は、電子のラブができた場の球体の体積の2.415×1033倍になったので、空間が拡大(膨張)し、ビッグバンがおきた。
【発明の詳細な説明】
【技術分野】
【０００１】
本発明は、電子と陽子がどのようにできたか、ビッグバンはどのようにおきたかに関するものである。
【背景技術】
【０００２】
電子と陽子はビッグバンの以前にできた。私は、電子の中に非常に小さい物が存在する。その名を電子のラブと名付けた。陽子の中に非常に小さい物が存在する。その名を陽子のラブと名付けた。私は、特願2010−224430において、ビッグバンの以前、電子のラブができた場のAは、1.865×1038aであるとし、電子のラブの状態を理解した。陽子のラブができた場のAは、3.421×1041aであるとし、陽子のラブの状態を理解した。
【先行技術文献】
【特許文献】
【０００３】
【特許文献１】特願２００６−３３６３５２
【特許文献２】特願２００６−３５７５５０
【特許文献３】特願２００７−１１２３８９
【特許文献４】特願２００７−１３３４７６
【特許文献５】特願２００７−１５０７５９
【特許文献６】特願２００７−２７９６１７
【特許文献７】特願２００８−１６２５５３
【特許文献８】特願２００９−２１８１９２
【特許文献９】特願２０１０−１９５０２９
【特許文献１０】特願２０１０−２１０１４１
【特許文献１１】特願２０１０−２２４４３０
【特許文献１２】特願２０１０−２２９１７４
【特許文献１３】特願２０１０−２４０１２７
【発明の概要】
【発明が解決しようとする課題】
【０００４】
解決しようとする課題を次に記す。
１．電子のラブができた場において、電子のラブは自転していたのか、それとも公転していたのか。
２．陽子のラブができた場において、陽子のラブは自転していたのか、それとも公転していたのか。
３．陽子のラブは、陽子ができた場において、どのような状態であったか。
４．陽子のラブの大きさと電子のラブの大きさについて。
５．ビッグバンの以前の様子はどのようであったか。陽子のラブの集団と電子のラブの集団はどのようになっていたか。
６．ビッグバンの以前、陽子のラブの集団が作る引力と、電子のラブの集団が作る引力はいくらか。
７．陽子のラブの集団と電子のラブの集団の間の引力はいくらだったか。
８．ビッグバンはどうしておきたか。
９．水素はいつできたか。
１０．水素原子ができる場のAはいくらか。
１１．水素原子ができる場において、電子のラブの自転軌道と公転軌道はいくらか。
１２．水素原子になった集団の大きさはいくらか。水素原子になった集団の体積はいくらか。
１３．水素原子になった集団の大きさは、電子のラブができた場の球体の大きさの何倍になったか。
１４．水素原子になった集団の体積は、電子のラブができた場の球体の体積の何倍になったか。
【課題を解決するための手段】
【０００５】
１．電子のラブができた場において、電子のラブは自転していたのか、それとも公転していたのか。
電子のラブの大きさは、電磁気の軌道×(7.028×1017)1/3＝電磁気の軌道×8.891×105、の式で計算した場合、電子のラブの大きさ＝電磁気の軌道×8.891×105＝6.611×10−80m÷a2×8.891×105＝5.878 ×10−74÷a2、です。
電子のラブの大きさは、地表の電子のラブの大きさ÷A、の式で計算した場合、電子のラブの大きさは電子のラブの自転の大きさです。それで、電子のラブの大きさは自転軌道です。
別な考えを示します。
また、電子のラブの大きさ＝地表の電子のラブの大きさ÷A＝4.18×10−18m÷(1.865×1038a)=2.241×10−56÷am
電子のラブの公転軌道(もし公転しているとしたら)＝8.665×10−24Jm÷電子のラブのエネルギー＝8.665×10−24Jm÷(電磁気の質量エネルギー×7.028×1017個)＝8.665×10−24Jm÷(2.175×10７aJ×7.028×1017個)=5.669×10-49÷am
電子のラブの自転軌道＝電子のラブの公転軌道×3.14÷自転数＝電子のラブの公転軌道×3.14÷(7.96×107)＝5.669×10-49÷am×3.14÷(7.96×107)＝2.236×10−56÷am
よって、電子のラブの自転軌道＝2.236×10−56÷amであり、電子のラブの大きさ＝地表の電子のラブの大きさ÷A＝2.241×10−56÷amであり、電子のラブの大きさは、電子のラブの自転軌道である。電子のラブは自転している。
例えば、放出した電磁気のエネルギーが1.233×10−17Jの場合は、
電子のラブの自転軌道＝2.236×10−5６÷am＝2.236×10−56÷(1.233×10−17)m＝1.813×10−39m、です。
よって、電子のラブができた場において、電子のラブは自転だけしていた。公転はしていない。
２．陽子のラブができた場において、陽子のラブは自転だけしていたのか、それとも公転していたのか。
陽子のラブの公転軌道(もし公転しているとしたら)＝8.665×10−24Jm÷陽子のラブのエネルギー＝8.665×10−24Jm÷(電磁気の質量エネルギー×1.289×1021個)＝8.665×10−24Jm÷(3.989×1010aJ×1.289×1021個)=1.685×10-55÷am
陽子のラブの自転軌道＝陽子のラブの公転軌道×3.14÷自転数＝陽子のラブの公転軌道×3.14÷(4.34×104)＝1.685×10-55÷am×3.14÷(4.34×104)＝1.219×10−59÷am
ここで問題が発生しました。
電子のラブの自転軌道と陽子のラブの自転軌道は等しいはずであるのに、電子のラブの自転軌道＝2.236×10−56÷am、であり、陽子のラブの自転軌道＝1.219×10−59÷am、です。
電子のラブの自転軌道は陽子のラブの自転軌道の、2.236×10−56÷am÷(1.219×10−59÷am)＝1.834×103、倍です。
この間違いはどこでおきたか。
３．陽子のラブは、陽子ができた場において、どのような状態であったか。
陽子のラブができた場のAは、電子のラブができた場のAの1836倍高エネルギーの場である事は正しいです。これは、電磁気と磁気の光子の場合は正しいです。
しかし、陽子のラブの場合は、陽子のラブの質量エネルギーを電子のラブの1836倍にしていますから、更にエネルギーを1836倍にすると、18362倍になります。軌道は、18362分の1になります。
それで、陽子のラブのエネルギーや軌道を求める場合は、陽子のラブができた場のAは、電子のラブができた場のAとします。
陽子のラブの質量エネルギーが電子のラブの質量エネルギーの1836倍になっているからです。
電子のラブができた場においては、電子のラブができていて、その場の1836倍のエネルギーの場で、電子のラブが1836個集まって、陽子のラブができます。
電子のラブができた場において、電磁気は電子のラブになった。そして、陽子のラブができた場では、電磁気は存在しない。存在するのは、電子のラブが1836個集まった陽子のラブです。
もし、電磁気が存在するならば、そのエネルギーや軌道や質量エネルギーを求めるAは、3.421×1041aです。
陽子のラブのエネルギーや軌道や質量エネルギーを求めるAは、1.865×1038aです。
陽子のラブの大きさ＝電磁気の軌道×(1.289×1021)1/3=1.233×10−41Jm÷電磁気のエネルギー×(1.289×1021)1/3＝1.233×10−41Jm÷AaJ×(1.289×1021)1/3＝1.233×10−41Jm÷(1.865×1038a2J)×1.088×107＝7.193×10−73÷a2m
陽子のラブの大きさ＝地表の陽子のラブの大きさ÷A＝4.18×10−18m÷A＝4.18×10−18m÷(1.865×1038a)＝2.241×10−56÷am
陽子のラブのエネルギー＝電磁気の質量エネルギー×1.289×1021×A＝1.296×10−48Kg×9×1016×1.289×1021×A=1.296×10−48Kg×9×1016×1.289×1021×1.865×1038a＝2.804×1028aJ
陽子のラブのエネルギー＝地表の陽子のラブのエネルギー×A＝1.5×10−10J×1.865×1038a＝2.798×1028 aJ
これらの式により、各々の放出した電磁気について、できた陽子の大きさと陽子のエネルギーを求める。
４．陽子のラブの大きさと電子のラブの大きさについて。
電子のラブができた場の陽子のラブの大きさは、地表の陽子のラブの大きさ÷A＝4.18×10−18m÷(1.865×1038a)＝2.241×10−56÷am
電子のラブができた場の電子のラブの大きさは、地表の電子のラブの自転軌道÷A＝4.18×10−18m÷(1.865×1038a)＝2.241×10−56÷am
この式では、陽子のラブの大きさは電子のラブの大きさと同じです。
本来陽子のラブの自転軌道と、電子のラブの自転軌道は同じであるはずです。
陽子のラブの大きさ＝電磁気の軌道×(1.289×1021)1/3=1.233×10−41Jm÷電磁気のエネルギー×(1.289×1021)1/3＝1.233×10−41Jm÷AaJ×(1.289×1021)1/3＝1.233×10−41Jm÷(1.865×1038a2J)×1.088×107＝7.193×10−73÷a2m
電子のラブができた場の陽子のラブの大きさは、電磁気の軌道×(1.289×1021)1/3=電子のラブができた場の電磁気の軌道×1.088×107＝6.611×10−80m÷a2×1.088×107＝7.193×10−73÷a2m、です。
電子のラブができた場の電子のラブの大きさは、電磁気の軌道×(7.028×1017)1/3=電磁気の軌道×8.891×105=6.611×10−80m÷a2×8.891×105=5.878×10−74÷a2m
ここで問題が発生しました。
本来陽子のラブの自転軌道と、電子のラブの自転軌道は同じであるはずです。
それなのに、電磁気の軌道で計算すると、陽子のラブの大きさは電子のラブの大きさの、陽子のラブの大きさ÷電子のラブの大きさ＝7.193×10−73÷a2m÷(5.878×10−74÷a2m)＝12.24、倍です。
これは、1.088×107÷(8.891×105)＝12.24、倍による差です。
この式では、陽子のラブの大きさは電子のラブの大きさの12.24、倍です。
この式により、各々の放出した電磁気でできた陽子のラブの大きさと電子のラブの大きさを理解できる。
５．ビッグバンの以前の様子はどのようであったか。陽子のラブの集団と電子のラブの集団はどのようになっていたか。
ビッグバンの以前、電子のラブができた場の様子は、中央に陽子のラブの集団が存在し、その周囲に電子のラブの集団が球状に、まるでボールの皮のように存在する。
中央に存在する陽子のラブの集団の大きさはいくらか。
陽子のラブの集団の大きさ＝陽子のラブの大きさ×原子数1/3
電子のラブが存在する球体の半径＝陽子のラブの集団の大きさ÷2×1836
電子のラブが存在する球体の半径に何この電子のラブが存在できるか。
電子のラブが存在する球体の半径に存在できる電子のラブの数＝球体の半径÷電子のラブの大きさ
電子のラブが存在する球体の表面に何この電子のラブが存在するか。
電子のラブが存在する球体の表面に存在する電子のラブの数＝4π半径に存在できる電子のラブの数２
電子のラブが存在する球体の表面に電子のラブは何段になって存在するか。
球体の表面の電子のラブの段数＝原子数÷表面に存在する電子のラブの数
球体表面の電子のラブの段数は何mか。厚さは何mか。
球体の表面の電子のラブの厚さ＝表面の電子のラブの段数×電子のラブの大きさ
これらの式により、各々の放出した電磁気について、陽子のラブの大きさやその周囲の電子のラブの球体の様子を理解できる。
表により理解できる事。
a.陽子のラブの集団の大きさは7.84×10−11mです。
b.球体の半径は7.2×10−8mです。
c.球体の表面の電子のラブの厚さは4.0×10−21mです。
６．ビッグバンの以前、陽子のラブの集団が作る引力と、電子のラブの集団が作る引力はいくらか。
陽子のラブの集団が作る引力。
1Kgでできる引力は(6.672×10−11J)1/2 J/Kg2です。
陽子のラブの集団が作る引力＝１Kgでできる引力×原子数×1陽子の質量×電子のラブができる場のA＝(6.672×10−11J)1/2 J/Kg×原子数×1.67265×10−27Kg×1.865×1038a=8.168
×10−6J/Kg×原子数×1.67265×10−27Kg×1.865×1038a=原子数×2.548×106aJ
電子のラブの集団が作る引力。
ボーア磁子は9.274×10−24J/Tです。核磁子は5.0508×10−27J/Tです。ボーア磁子は核磁子の、9.274×10−24J/T÷(5.0508×10−27J/T)＝1.836×103、倍です。
電子のラブが作る引力は陽子のラブが作る引力の1836倍です。そして、電子のラブの質量は陽子のラブの質量の1836分の１です。
よって、電子のラブが作る引力は、陽子のラブが作る引力と同じです。
電子のラブの集団が作る引力＝１Kgでできる引力×原子数×1電子のラブの質量×電子のラブができる場のA＝(6.672×10−11J)1/2 J/Kg×1836×原子数×9.1095×10−31Kg×1.865×1038a＝8.168×10−6J/Kg×1.836×103×原子数×9.1095×10−31Kg×1.865×1038a＝原子数×2.548×106aJ
よって、陽子のラブの集団が作る引力と電子のラブの集団が作る引力は等しい。
この式によって、各々の放出した電磁気について、電子のラブができた場の陽子のラブの集団が作る引力と電子のラブの集団が作る引力を求める。
７．陽子のラブの集団と電子のラブの集団の間の引力はいくらだったか。
陽子のラブの集団と電子のラブの集団の間の引力は、陽子のラブの集団が作る引力×電子のラブの集団が作る引力÷球体の半径2、です。
各々の放出した電磁気について、陽子のラブの集団と電子のラブの集団の間の引力を計算する。
８．ビッグバンはどうしておきたか。
ビッグバンは、陽子のラブの集団と電子のラブの集団の間の引力が強くなり、陽子のラブの集団と電子のラブの集団が引き合い、衝突する事によっておきた。
９．水素はいつできたか。
陽子のラブの集団と電子のラブの集団が引き合い、衝突したとき、水素はできた。水素ができ体積が増加したので、電子のラブと陽子のラブの空間は大きくなり、爆発した。これがビッグバンです。
１０．水素原子ができる場のAはいくらか。
水素原子ができた時、電子のラブは公転します。公転軌道は自転軌道の、地表の公転軌道÷地表の自転軌道＝1.058×10−10m÷(4.18×10−18m)＝2.531×107、倍です。
それで、水素原子ができる場のAは、電子のラブができる場のA÷(2.531×107)＝1.865×1038a÷(2.531×107)＝7.369×1030a、です。
水素原子ができる場のAは7.369×1030a、です。
１１．水素原子ができる場において、電子のラブの自転軌道と公転軌道はいくらか。
水素原子ができる場において、電子のラブの自転軌道＝地表の電子のラブの自転軌道÷A＝4.18×10−18m÷(7.369×1030a)＝5.672×10−49m÷a
水素原子ができる場において、電子のラブの自転軌道は、5.672×10−49m÷a、です。
水素原子ができる場において、電子のラブの公転軌道＝地表の電子のラブの公転軌道÷A＝1.058×10−10m÷(7.369×1030a)＝1.436×10−41m÷a
水素原子ができる場において、電子のラブの公転軌道は、1.436×10−41m÷a、です。
１２．水素原子になった集団の大きさはいくらか。水素原子になった集団の体積はいくらか。
水素原子がもし、ぎっしり集まっていたと仮定する。
水素原子になった集団の大きさ＝電子のラブの公転軌道×原子数1/3=1.436×10−41m÷a×原子数1/3
水素原子になった集団の大きさは、1.436×10−41m÷a×原子数1/3、です。
水素原子になった集団の体積はいくらか。
水素原子になった集団の体積＝水素原子になった集団の大きさ3
１３．水素原子になった集団の大きさは、電子のラブができた場の球体の大きさの何倍になったか。
水素原子になった集団の大きさ÷電子のラブができた場の球体の大きさ＝1.436×10−41m÷a×原子数1/3÷(2×電子のラブができた場の球体の半径)＝1.436×10−41m÷a×原子数1/3÷(2×7.2×10−8m)＝9.972×10−35÷a×原子数1/3
水素原子になった集団の大きさは、電子のラブができた場の球体の大きさの9.972×10−35÷a×原子数1/3倍になった。
１４．水素原子になった集団の体積は、電子のラブができた場の球体の体積の何倍になったか。
水素原子になった集団の大きさは、電子のラブができた場の球体の大きさの9.972×10−35÷a×原子数1/3倍になったので、体積はこの値の3乗倍になった。
また、水素原子の集団の体積÷電子のラブができた場の球体の体積＝水素原子の集団の体積÷(2×7.2×10−8m)3＝水素原子の集団の体積÷(2.986×10−21)
この体積の増加によりビッグバンがおきた。
各々の電磁気について、水素原子ができる場のA、電子のラブの自転軌道と公転軌道、水素原子になった集団の大きさ、体積、水素原子になった集団の大きさは、電子のラブができた場の球体の大きさの何倍か、水素原子になった集団の体積は、電子のラブができた場の球体の体積の何倍かを計算する。
【発明の効果】
【０００６】
次の事が理解できた。
１．電子のラブができた場において、電子のラブは自転していたのか、それとも公転していたのか。
電子のラブの大きさは、電磁気の軌道×(7.028×1017)1/3＝電磁気の軌道×8.891×105、の式で計算した場合、電子のラブの大きさ＝電磁気の軌道×8.891×105＝6.611×10−80m÷a2×8.891×105＝5.878 ×10−74÷a2、です。
電子のラブの大きさは、地表の電子のラブの大きさ÷A、の式で計算した場合、電子のラブの大きさは電子のラブの自転の大きさです。それで、電子のラブの大きさは自転軌道です。
別な考えを示します。
また、電子のラブの大きさ＝地表の電子のラブの大きさ÷A＝4.18×10−18m÷(1.865×1038a)=2.241×10−56÷am
電子のラブの公転軌道(もし公転しているとしたら)＝8.665×10−24Jm÷電子のラブのエネルギー＝8.665×10−24Jm÷(電磁気の質量エネルギー×7.028×1017個)＝8.665×10−24Jm÷(2.175×10７aJ×7.028×1017個)=5.669×10-49÷am
電子のラブの自転軌道＝電子のラブの公転軌道×3.14÷自転数＝電子のラブの公転軌道×3.14÷(7.96×107)＝5.669×10-49÷am×3.14÷(7.96×107)＝2.236×10−56÷am
よって、電子のラブの自転軌道＝2.236×10−56÷amであり、電子のラブの大きさ＝地表の電子のラブの大きさ÷A＝2.241×10−56÷amであり、電子のラブの大きさは、電子のラブの自転軌道である。電子のラブは自転している。
例えば、放出した電磁気のエネルギーが1.233×10−17Jの場合は、
電子のラブの自転軌道＝2.236×10−5６÷am＝2.236×10−56÷(1.233×10−17)m＝1.813×10−39m、です。
よって、電子のラブができた場において、電子のラブは自転だけしていた。公転はしていない。
２．陽子のラブができた場において、陽子のラブは自転だけしていたのか、それとも公転していたのか。
陽子のラブの公転軌道(もし公転しているとしたら)＝8.665×10−24Jm÷陽子のラブのエネルギー＝8.665×10−24Jm÷(電磁気の質量エネルギー×1.289×1021個)＝8.665×10−24Jm÷(3.989×1010aJ×1.289×1021個)=1.685×10-55÷am
陽子のラブの自転軌道＝陽子のラブの公転軌道×3.14÷自転数＝陽子のラブの公転軌道×3.14÷(4.34×104)＝1.685×10-55÷am×3.14÷(4.34×104)＝1.219×10−59÷am
ここで問題が発生しました。
電子のラブの自転軌道と陽子のラブの自転軌道は等しいはずであるのに、電子のラブの自転軌道＝2.236×10−56÷am、であり、陽子のラブの自転軌道＝1.219×10−59÷am、です。
電子のラブの自転軌道は陽子のラブの自転軌道の、2.236×10−56÷am÷(1.219×10−59÷am)＝1.834×103、倍です。
この間違いはどこでおきたか。
３．陽子のラブは、陽子ができた場において、どのような状態であったか。
陽子のラブができた場のAは、電子のラブができた場のAの1836倍高エネルギーの場である事は正しいです。これは、電磁気と磁気の光子の場合は正しいです。
しかし、陽子のラブの場合は、陽子のラブの質量エネルギーを電子のラブの1836倍にしていますから、更にエネルギーを1836倍にすると、18362倍になります。軌道は、18362分の1になります。
それで、陽子のラブのエネルギーや軌道を求める場合は、陽子のラブができた場のAは、電子のラブができた場のAとします。
陽子のラブの質量エネルギーが電子のラブの質量エネルギーの1836倍になっているからです。
電子のラブができた場においては、電子のラブができていて、その場の1836倍のエネルギーの場で、電子のラブが1836個集まって、陽子のラブができます。
電子のラブができた場において、電磁気は電子のラブになった。そして、陽子のラブができた場では、電磁気は存在しない。存在するのは、電子のラブが1836個集まった陽子のラブです。
もし、電磁気が存在するならば、そのエネルギーや軌道や質量エネルギーを求めるAは、3.421×1041aです。
陽子のラブのエネルギーや軌道や質量エネルギーを求めるAは、1.865×1038aです。
陽子のラブの大きさ＝電磁気の軌道×(1.289×1021)1/3=1.233×10−41Jm÷電磁気のエネルギー×(1.289×1021)1/3＝1.233×10−41Jm÷AaJ×(1.289×1021)1/3＝1.233×10−41Jm÷(1.865×1038a2J)×1.088×107＝7.193×10−73÷a2m
陽子のラブの大きさ＝地表の陽子のラブの大きさ÷A＝4.18×10−18m÷A＝4.18×10−18m÷(1.865×1038a)＝2.241×10−56÷am
陽子のラブのエネルギー＝電磁気の質量エネルギー×1.289×1021×A＝1.296×10−48Kg×9×1016×1.289×1021×A=1.296×10−48Kg×9×1016×1.289×1021×1.865×1038a＝2.804×1028aJ
陽子のラブのエネルギー＝地表の陽子のラブのエネルギー×A＝1.5×10−10J×1.865×1038a＝2.798×1028 aJ
これらの式により、各々の放出した電磁気について、できた陽子の大きさと陽子のエネルギーを求める。
各々の放出した電磁気について、できた陽子の大きさと陽子のエネルギーの状態を表に示す。
表1
2012105368.tif 000003
４．陽子のラブの大きさと電子のラブの大きさについて。
電子のラブができた場の陽子のラブの大きさは、地表の陽子のラブの大きさ÷A＝4.18×10−18m÷(1.865×1038a)＝2.241×10−56÷am
電子のラブができた場の電子のラブの大きさは、地表の電子のラブの自転軌道÷A＝4.18×10−18m÷(1.865×1038a)＝2.241×10−56÷am
この式では、陽子のラブの大きさは電子のラブの大きさと同じです。
本来陽子のラブの自転軌道と、電子のラブの自転軌道は同じであるはずです。
陽子のラブの大きさ＝電磁気の軌道×(1.289×1021)1/3=1.233×10−41Jm÷電磁気のエネルギー×(1.289×1021)1/3＝1.233×10−41Jm÷AaJ×(1.289×1021)1/3＝1.233×10−41Jm÷(1.865×1038a2J)×1.088×107＝7.193×10−73÷a2m
電子のラブができた場の陽子のラブの大きさは、電磁気の軌道×(1.289×1021)1/3=電子のラブができた場の電磁気の軌道×1.088×107＝6.611×10−80m÷a2×1.088×107＝7.193×10−73÷a2m、です。
電子のラブができた場の電子のラブの大きさは、電磁気の軌道×(7.028×1017)1/3=電磁気の軌道×8.891×105=6.611×10−80m÷a2×8.891×105=5.878×10−74÷a2m
ここで問題が発生しました。
本来陽子のラブの自転軌道と、電子のラブの自転軌道は同じであるはずです。
それなのに、電磁気の軌道で計算すると、陽子のラブの大きさは電子のラブの大きさの、陽子のラブの大きさ÷電子のラブの大きさ＝7.193×10−73÷a2m÷(5.878×10−74÷a2m)＝12.24、倍です。
これは、1.088×107÷(8.891×105)＝12.24、倍による差です。
この式では、陽子のラブの大きさは電子のラブの大きさの12.24、倍です。
各々の放出した電磁気について、電子のラブができた場の、陽子のラブの大きさと電子のラブの大きさを表に示す。
表2
2012105368.tif 000004
５．ビッグバンの以前の様子はどのようであったか。陽子のラブの集団と電子のラブの集団はどのようになっていたか。
ビッグバンの以前、電子のラブができた場の様子は、中央に陽子のラブの集団が存在し、その周囲に電子のラブの集団が球状に、まるでボールの皮のように存在する。
中央に存在する陽子のラブの集団の大きさはいくらか。
陽子のラブの集団の大きさ＝陽子のラブの大きさ×原子数1/3
電子のラブが存在する球体の半径＝陽子のラブの集団の大きさ÷2×1836
電子のラブが存在する球体の半径に何この電子のラブが存在できるか。
電子のラブが存在する球体の半径に存在できる電子のラブの数＝球体の半径÷電子のラブの大きさ
電子のラブが存在する球体の表面に何この電子のラブが存在するか。
電子のラブが存在する球体の表面に存在する電子のラブの数＝4π半径に存在できる電子のラブの数２
電子のラブが存在する球体の表面に電子のラブは何段になって存在するか。
球体の表面の電子のラブの段数＝原子数÷表面に存在する電子のラブの数
球体表面の電子のラブの段数は何mか。厚さは何mか。
球体の表面の電子のラブの厚さ＝表面の電子のラブの段数×電子のラブの大きさ
これらの式により、各々の放出した電磁気について、陽子のラブの大きさやその周囲の電子のラブの球体の様子を理解できる。
各々の放出した電磁気について、陽子のラブの大きさやその周囲の電子のラブの球体の様子を表に示す。
表3
2012105368.tif 000005
この表により理解できる事。
a.陽子のラブの集団の大きさは7.84×10−11mです。
b.球体の半径は7.2×10−8mです。
c.球体の表面の電子のラブの厚さは4.0×10−21mです。
６．ビッグバンの以前、陽子のラブの集団が作る引力と、電子のラブの集団が作る引力はいくらか。
陽子のラブの集団が作る引力。
1Kgでできる引力は(6.672×10−11J)1/2 J/Kg2です。
陽子のラブの集団が作る引力＝１Kgでできる引力×原子数×1陽子の質量×電子のラブができる場のA＝(6.672×10−11J)1/2 J/Kg×原子数×1.67265×10−27Kg×1.865×1038a=8.168
×10−6J/Kg×原子数×1.67265×10−27Kg×1.865×1038a=原子数×2.548×106aJ
電子のラブの集団が作る引力。
ボーア磁子は9.274×10−24J/Tです。核磁子は5.0508×10−27J/Tです。ボーア磁子は核磁子の、9.274×10−24J/T÷(5.0508×10−27J/T)＝1.836×103、倍です。
電子のラブが作る引力は陽子のラブが作る引力の1836倍です。そして、電子のラブの質量は陽子のラブの質量の1836分の１です。
よって、電子のラブが作る引力は、陽子のラブが作る引力と同じです。
電子のラブの集団が作る引力＝１Kgでできる引力×原子数×1電子のラブの質量×電子のラブができる場のA＝(6.672×10−11J)1/2 J/Kg×1836×原子数×9.1095×10−31Kg×1.865×1038a＝8.168×10−6J/Kg×1.836×103×原子数×9.1095×10−31Kg×1.865×1038a＝原子数×2.548×106aJ
よって、陽子のラブの集団が作る引力と電子のラブの集団が作る引力は等しい。
この式によって、各々の放出した電磁気について、電子のラブができた場の陽子のラブの集団が作る引力と電子のラブの集団が作る引力を求める。
各々の放出した電磁気について、電子のラブができた場の陽子のラブの集団が作る引力と電子のラブの集団が作る引力を表に示す。
表４
2012105368.tif 000006
７．陽子のラブの集団と電子のラブの集団の間の引力はいくらだったか。
陽子のラブの集団と電子のラブの集団の間の引力は、陽子のラブの集団が作る引力×電子のラブの集団が作る引力÷球体の半径2、です。
各々の放出した電磁気について、陽子のラブの集団と電子のラブの集団の間の引力を計算する。
１eVの場合。
陽子のラブの集団と電子のラブの集団の間の引力＝(8.956×1060J)2÷(7.204×10−8m)2＝1.546×10136J
2.154×10−19Jの場合。
陽子のラブの集団と電子のラブの集団の間の引力＝(7.113×1061J)2÷(7.202×10−8m)2＝9.754×10137J
1.423×10−18Jの場合。
陽子のラブの集団と電子のラブの集団の間の引力＝(3.905×1067J)2÷(7.200×10−8m)2＝2.942×10149J
1.233×10−17Jの場合。
陽子のラブの集団と電子のラブの集団の間の引力＝(1.431×1074J)2÷(7.201×10−8m)2＝3.949×10162J
4.499×10−15Jの場合。
陽子のラブの集団と電子のラブの集団の間の引力＝(1.146×1092J)2÷(7.031×10−8m)2＝2.657×10198J
これを表に示す。
表5
2012105368.tif 000007
８．ビッグバンはどうしておきたか。
ビッグバンは、陽子のラブの集団と電子のラブの集団の間の引力が強くなり、陽子のラブの集団と電子のラブの集団が引き合い、衝突する事によっておきた。
９．水素はいつできたか。
陽子のラブの集団と電子のラブの集団が引き合い、衝突したとき、水素はできた。水素ができ体積が増加したので、電子のラブと陽子のラブの空間は大きくなり、爆発した。これがビッグバンです。
１０．水素原子ができる場のAはいくらか。
水素原子ができた時、電子のラブは公転します。公転軌道は自転軌道の、地表の公転軌道÷地表の自転軌道＝1.058×10−10m÷(4.18×10−18m)＝2.531×107、倍です。
それで、水素原子ができる場のAは、電子のラブができる場のA÷(2.531×107)＝1.865×1038a÷(2.531×107)＝7.369×1030a、です。
水素原子ができる場のAは7.369×1030a、です。
１１．水素原子ができる場において、電子のラブの自転軌道と公転軌道はいくらか。
水素原子ができる場において、電子のラブの自転軌道＝地表の電子のラブの自転軌道÷A＝4.18×10−18m÷(7.369×1030a)＝5.672×10−49m÷a
水素原子ができる場において、電子のラブの自転軌道は、5.672×10−49m÷a、です。
水素原子ができる場において、電子のラブの公転軌道＝地表の電子のラブの公転軌道÷A＝1.058×10−10m÷(7.369×1030a)＝1.436×10−41m÷a
水素原子ができる場において、電子のラブの公転軌道は、1.436×10−41m÷a、です。
１２．水素原子になった集団の大きさはいくらか。水素原子になった集団の体積はいくらか。
水素原子がもし、ぎっしり集まっていたと仮定する。
水素原子になった集団の大きさ＝電子のラブの公転軌道×原子数1/3=1.436×10−41m÷a×原子数1/3
水素原子になった集団の大きさは、1.436×10−41m÷a×原子数1/3、です。
水素原子になった集団の体積はいくらか。
水素原子になった集団の体積＝水素原子になった集団の大きさ3
１３．水素原子になった集団の大きさは、電子のラブができた場の球体の大きさの何倍になったか。
水素原子になった集団の大きさ÷電子のラブができた場の球体の大きさ＝1.436×10−41m÷a×原子数1/3÷(2×電子のラブができた場の球体の半径)＝1.436×10−41m÷a×原子数1/3÷(2×7.2×10−8m)＝9.972×10−35÷a×原子数1/3
水素原子になった集団の大きさは、電子のラブができた場の球体の大きさの9.972×10−35÷a×原子数1/3倍になった。
１４．水素原子になった集団の体積は、電子のラブができた場の球体の体積の何倍になったか。
水素原子になった集団の大きさは、電子のラブができた場の球体の大きさの9.972×10−35÷a×原子数1/3倍になったので、体積はこの値の3乗倍になった。
また、水素原子の集団の体積÷電子のラブができた場の球体の体積＝水素原子の集団の体積÷(2×7.2×10−8m)3＝水素原子の集団の体積÷(2.986×10−21)
この体積の増加によりビッグバンがおきた。
各々の電磁気について、水素原子ができる場のA、電子のラブの自転軌道と公転軌道、水素原子になった集団の大きさ、体積、水素原子になった集団の大きさは、電子のラブができた場の球体の大きさの何倍か、水素原子になった集団の体積は、電子のラブができた場の球体の体積の何倍かを表にして示す。
表6
2012105368.tif 000008
この表によって理解できる事。
a.放出した電磁気が1.233×10−17Jの場合、水素原子ができる場の電子のラブの自転軌道は4.600×10−32mであり、公転軌道は1.165×10−24mです。
b. 水素原子になった集団の体積は、電子のラブができた場の球体の体積の2.415×1033倍になったので、空間が拡大(膨張)し、ビッグバンがおきた。
【図面の簡単な説明】
【０００７】
【図１】ビッグバンの以前の電子のラブができた場における、陽子のラブの集団と電子のラブの集団。中央の陽子のラブの集団の大きさは7.84×10−11mです。電子のラブの集団が存在する球体の半径は7.2×10−8mです。球体の表面の電子のラブの厚さは4.0×10−21mです。
【図２】ビッグバンは、陽子のラブの集団と電子のラブの集団の間の引力が強くなり、陽子のラブの集団と電子のラブの集団が引き合い、衝突する事によっておきた。
【図３】衝突し水素ができた。水素になり、電子のラブは公転したので、公転軌道÷自転軌道＝1.058×10−10m÷A÷(4.18×10−18m÷A)＝2.531×107倍大きくなった。全体では、１個の電子のラブの拡大×原子数＝2.531×107倍×原子数、大きくなった。体積としては、(2.531×107倍×原子数)3になった。それで、ビッグバンはおきた。
【発明を実施するための形態】
【０００８】
１．電子のラブができた場において、電子のラブは自転していたのか、それとも公転していたのか。
電子のラブの大きさは、電磁気の軌道×(7.028×1017)1/3＝電磁気の軌道×8.891×105、の式で計算した場合、電子のラブの大きさ＝電磁気の軌道×8.891×105＝6.611×10−80m÷a2×8.891×105＝5.878 ×10−74÷a2、です。
電子のラブの大きさは、地表の電子のラブの大きさ÷A、の式で計算した場合、電子のラブの大きさは電子のラブの自転の大きさです。それで、電子のラブの大きさは自転軌道です。
別な考えを示します。
また、電子のラブの大きさ＝地表の電子のラブの大きさ÷A＝4.18×10−18m÷(1.865×1038a)=2.241×10−56÷am
電子のラブの公転軌道(もし公転しているとしたら)＝8.665×10−24Jm÷電子のラブのエネルギー＝8.665×10−24Jm÷(電磁気の質量エネルギー×7.028×1017個)＝8.665×10−24Jm÷(2.175×10７aJ×7.028×1017個)=5.669×10-49÷am
電子のラブの自転軌道＝電子のラブの公転軌道×3.14÷自転数＝電子のラブの公転軌道×3.14÷(7.96×107)＝5.669×10-49÷am×3.14÷(7.96×107)＝2.236×10−56÷am
よって、電子のラブの自転軌道＝2.236×10−56÷amであり、電子のラブの大きさ＝地表の電子のラブの大きさ÷A＝2.241×10−56÷amであり、電子のラブの大きさは、電子のラブの自転軌道である。電子のラブは自転している。
例えば、放出した電磁気のエネルギーが1.233×10−17Jの場合は、
電子のラブの自転軌道＝2.236×10−5６÷am＝2.236×10−56÷(1.233×10−17)m＝1.813×10−39m、です。
よって、電子のラブができた場において、電子のラブは自転だけしていた。公転はしていない。
２．陽子のラブができた場において、陽子のラブは自転だけしていたのか、それとも公転していたのか。
陽子のラブの公転軌道(もし公転しているとしたら)＝8.665×10−24Jm÷陽子のラブのエネルギー＝8.665×10−24Jm÷(電磁気の質量エネルギー×1.289×1021個)＝8.665×10−24Jm÷(3.989×1010aJ×1.289×1021個)=1.685×10-55÷am
陽子のラブの自転軌道＝陽子のラブの公転軌道×3.14÷自転数＝陽子のラブの公転軌道×3.14÷(4.34×104)＝1.685×10-55÷am×3.14÷(4.34×104)＝1.219×10−59÷am
ここで問題が発生しました。
電子のラブの自転軌道と陽子のラブの自転軌道は等しいはずであるのに、電子のラブの自転軌道＝2.236×10−56÷am、であり、陽子のラブの自転軌道＝1.219×10−59÷am、です。
電子のラブの自転軌道は陽子のラブの自転軌道の、2.236×10−56÷am÷(1.219×10−59÷am)＝1.834×103、倍です。
この間違いはどこでおきたか。
３．陽子のラブは、陽子ができた場において、どのような状態であったか。
陽子のラブができた場のAは、電子のラブができた場のAの1836倍高エネルギーの場である事は正しいです。これは、電磁気と磁気の光子の場合は正しいです。
しかし、陽子のラブの場合は、陽子のラブの質量エネルギーを電子のラブの1836倍にしていますから、更にエネルギーを1836倍にすると、18362倍になります。軌道は、18362分の1になります。
それで、陽子のラブのエネルギーや軌道を求める場合は、陽子のラブができた場のAは、電子のラブができた場のAとします。
陽子のラブの質量エネルギーが電子のラブの質量エネルギーの1836倍になっているからです。
電子のラブができた場においては、電子のラブができていて、その場の1836倍のエネルギーの場で、電子のラブが1836個集まって、陽子のラブができます。
電子のラブができた場において、電磁気は電子のラブになった。そして、陽子のラブができた場では、電磁気は存在しない。存在するのは、電子のラブが1836個集まった陽子のラブです。
もし、電磁気が存在するならば、そのエネルギーや軌道や質量エネルギーを求めるAは、3.421×1041aです。
陽子のラブのエネルギーや軌道や質量エネルギーを求めるAは、1.865×1038aです。
陽子のラブの大きさ＝電磁気の軌道×(1.289×1021)1/3=1.233×10−41Jm÷電磁気のエネルギー×(1.289×1021)1/3＝1.233×10−41Jm÷AaJ×(1.289×1021)1/3＝1.233×10−41Jm÷(1.865×1038a2J)×1.088×107＝7.193×10−73÷a2m
陽子のラブの大きさ＝地表の陽子のラブの大きさ÷A＝4.18×10−18m÷A＝4.18×10−18m÷(1.865×1038a)＝2.241×10−56÷am
陽子のラブのエネルギー＝電磁気の質量エネルギー×1.289×1021×A＝1.296×10−48Kg×9×1016×1.289×1021×A=1.296×10−48Kg×9×1016×1.289×1021×1.865×1038a＝2.804×1028aJ
陽子のラブのエネルギー＝地表の陽子のラブのエネルギー×A＝1.5×10−10J×1.865×1038a＝2.798×1028 aJ
これらの式により、各々の放出した電磁気について、できた陽子の大きさと陽子のエネルギーを求める。
各々の放出した電磁気について、できた陽子の大きさと陽子のエネルギーの状態を表に示す。
表7
2012105368.tif 000009
４．陽子のラブの大きさと電子のラブの大きさについて。
電子のラブができた場の陽子のラブの大きさは、地表の陽子のラブの大きさ÷A＝4.18×10−18m÷(1.865×1038a)＝2.241×10−56÷am
電子のラブができた場の電子のラブの大きさは、地表の電子のラブの自転軌道÷A＝4.18×10−18m÷(1.865×1038a)＝2.241×10−56÷am
この式では、陽子のラブの大きさは電子のラブの大きさと同じです。
本来陽子のラブの自転軌道と、電子のラブの自転軌道は同じであるはずです。
陽子のラブの大きさ＝電磁気の軌道×(1.289×1021)1/3=1.233×10−41Jm÷電磁気のエネルギー×(1.289×1021)1/3＝1.233×10−41Jm÷AaJ×(1.289×1021)1/3＝1.233×10−41Jm÷(1.865×1038a2J)×1.088×107＝7.193×10−73÷a2m
電子のラブができた場の陽子のラブの大きさは、電磁気の軌道×(1.289×1021)1/3=電子のラブができた場の電磁気の軌道×1.088×107＝6.611×10−80m÷a2×1.088×107＝7.193×10−73÷a2m、です。
電子のラブができた場の電子のラブの大きさは、電磁気の軌道×(7.028×1017)1/3=電磁気の軌道×8.891×105=6.611×10−80m÷a2×8.891×105=5.878×10−74÷a2m
ここで問題が発生しました。
本来陽子のラブの自転軌道と、電子のラブの自転軌道は同じであるはずです。
それなのに、電磁気の軌道で計算すると、陽子のラブの大きさは電子のラブの大きさの、陽子のラブの大きさ÷電子のラブの大きさ＝7.193×10−73÷a2m÷(5.878×10−74÷a2m)＝12.24、倍です。
これは、1.088×107÷(8.891×105)＝12.24、倍による差です。
この式では、陽子のラブの大きさは電子のラブの大きさの12.24、倍です。
各々の放出した電磁気について、電子のラブができた場の、陽子のラブの大きさと電子のラブの大きさを示す。
表8
2012105368.tif 000010
５．ビッグバンの以前の様子はどのようであったか。陽子のラブの集団と電子のラブの集団はどのようになっていたか。
ビッグバンの以前、電子のラブができた場の様子は、中央に陽子のラブの集団が存在し、その周囲に電子のラブの集団が球状に、まるでボールの皮のように存在する。
中央に存在する陽子のラブの集団の大きさはいくらか。
陽子のラブの集団の大きさ＝陽子のラブの大きさ×原子数1/3
電子のラブが存在する球体の半径＝陽子のラブの集団の大きさ÷2×1836
電子のラブが存在する球体の半径に何この電子のラブが存在できるか。
電子のラブが存在する球体の半径に存在できる電子のラブの数＝球体の半径÷電子のラブの大きさ
電子のラブが存在する球体の表面に何この電子のラブが存在するか。
電子のラブが存在する球体の表面に存在する電子のラブの数＝4π半径に存在できる電子のラブの数２
電子のラブが存在する球体の表面に電子のラブは何段になって存在するか。
球体の表面の電子のラブの段数＝原子数÷表面に存在する電子のラブの数
球体表面の電子のラブの段数は何mか。厚さは何mか。
球体の表面の電子のラブの厚さ＝表面の電子のラブの段数×電子のラブの大きさ
これらの式により、各々の放出した電磁気について、陽子のラブの大きさやその周囲の電子のラブの球体の様子を理解できる。
各々の放出した電磁気について、陽子のラブの大きさやその周囲の電子のラブの球体の様子を表に示す。
表9
2012105368.tif 000011
この表により理解できる事。
a.陽子のラブの集団の大きさは7.84×10−11mです。
b.球体の半径は7.2×10−8mです。
c.球体の表面の電子のラブの厚さは4.0×10−21mです。
６．ビッグバンの以前、陽子のラブの集団が作る引力と、電子のラブの集団が作る引力はいくらか。
陽子のラブの集団が作る引力。
1Kgでできる引力は(6.672×10−11J)1/2 J/Kg2です。
陽子のラブの集団が作る引力＝１Kgでできる引力×原子数×1陽子の質量×電子のラブができる場のA＝(6.672×10−11J)1/2 J/Kg×原子数×1.67265×10−27Kg×1.865×1038a=8.168
×10−6J/Kg×原子数×1.67265×10−27Kg×1.865×1038a=原子数×2.548×106aJ
電子のラブの集団が作る引力。
ボーア磁子は9.274×10−24J/Tです。核磁子は5.0508×10−27J/Tです。ボーア磁子は核磁子の、9.274×10−24J/T÷(5.0508×10−27J/T)＝1.836×103、倍です。
電子のラブが作る引力は陽子のラブが作る引力の1836倍です。そして、電子のラブの質量は陽子のラブの質量の1836分の１です。
よって、電子のラブが作る引力は、陽子のラブが作る引力と同じです。
電子のラブの集団が作る引力＝１Kgでできる引力×原子数×1電子のラブの質量×電子のラブができる場のA＝(6.672×10−11J)1/2 J/Kg×1836×原子数×9.1095×10−31Kg×1.865×1038a＝8.168×10−6J/Kg×1.836×103×原子数×9.1095×10−31Kg×1.865×1038a＝原子数×2.548×106aJ
よって、陽子のラブの集団が作る引力と電子のラブの集団が作る引力は等しい。
この式によって、各々の放出した電磁気について、電子のラブができた場の陽子のラブの集団が作る引力と電子のラブの集団が作る引力を求める。
各々の放出した電磁気について、電子のラブができた場の陽子のラブの集団が作る引力と電子のラブの集団が作る引力を表に示す。
表10
2012105368.tif 000012
７．陽子のラブの集団と電子のラブの集団の間の引力はいくらだったか。
陽子のラブの集団と電子のラブの集団の間の引力は、陽子のラブの集団が作る引力×電子のラブの集団が作る引力÷球体の半径2、です。
各々の放出した電磁気について、陽子のラブの集団と電子のラブの集団の間の引力を計算する。
１eVの場合。
陽子のラブの集団と電子のラブの集団の間の引力＝(8.956×1060J)2÷(7.204×10−8m)2＝1.546×10136J
2.154×10−19Jの場合。
陽子のラブの集団と電子のラブの集団の間の引力＝(7.113×1061J)2÷(7.202×10−8m)2＝9.754×10137J
1.423×10−18Jの場合。
陽子のラブの集団と電子のラブの集団の間の引力＝(3.905×1067J)2÷(7.200×10−8m)2＝2.942×10149J
1.233×10−17Jの場合。
陽子のラブの集団と電子のラブの集団の間の引力＝(1.431×1074J)2÷(7.201×10−8m)2＝3.949×10162J
4.499×10−15Jの場合。
陽子のラブの集団と電子のラブの集団の間の引力＝(1.146×1092J)2÷(7.031×10−8m)2＝2.657×10198J
これを表に示す。
表11
2012105368.tif 000013
８．ビッグバンはどうしておきたか。
ビッグバンは、陽子のラブの集団と電子のラブの集団の間の引力が強くなり、陽子のラブの集団と電子のラブの集団が引き合い、衝突する事によっておきた。
９．水素はいつできたか。
陽子のラブの集団と電子のラブの集団が引き合い、衝突したとき、水素はできた。水素ができ体積が増加したので、電子のラブと陽子のラブの空間は大きくなり、爆発した。これがビッグバンです。
１０．水素原子ができる場のAはいくらか。
水素原子ができた時、電子のラブは公転します。公転軌道は自転軌道の、地表の公転軌道÷地表の自転軌道＝1.058×10−10m÷(4.18×10−18m)＝2.531×107、倍です。
それで、水素原子ができる場のAは、電子のラブができる場のA÷(2.531×107)＝1.865×1038a÷(2.531×107)＝7.369×1030a、です。
水素原子ができる場のAは7.369×1030a、です。
１１．水素原子ができる場において、電子のラブの自転軌道と公転軌道はいくらか。
水素原子ができる場において、電子のラブの自転軌道＝地表の電子のラブの自転軌道÷A＝4.18×10−18m÷(7.369×1030a)＝5.672×10−49m÷a
水素原子ができる場において、電子のラブの自転軌道は、5.672×10−49m÷a、です。
水素原子ができる場において、電子のラブの公転軌道＝地表の電子のラブの公転軌道÷A＝1.058×10−10m÷(7.369×1030a)＝1.436×10−41m÷a
水素原子ができる場において、電子のラブの公転軌道は、1.436×10−41m÷a、です。
１２．水素原子になった集団の大きさはいくらか。水素原子になった集団の体積はいくらか。
水素原子がもし、ぎっしり集まっていたと仮定する。
水素原子になった集団の大きさ＝電子のラブの公転軌道×原子数1/3=1.436×10−41m÷a×原子数1/3
水素原子になった集団の大きさは、1.436×10−41m÷a×原子数1/3、です。
水素原子になった集団の体積はいくらか。
水素原子になった集団の体積＝水素原子になった集団の大きさ3
１３．水素原子になった集団の大きさは、電子のラブができた場の球体の大きさの何倍になったか。
水素原子になった集団の大きさ÷電子のラブができた場の球体の大きさ＝1.436×10−41m÷a×原子数1/3÷(2×電子のラブができた場の球体の半径)＝1.436×10−41m÷a×原子数1/3÷(2×7.2×10−8m)＝9.972×10−35÷a×原子数1/3
水素原子になった集団の大きさは、電子のラブができた場の球体の大きさの9.972×10−35÷a×原子数1/3倍になった。
１４．水素原子になった集団の体積は、電子のラブができた場の球体の体積の何倍になったか。
水素原子になった集団の大きさは、電子のラブができた場の球体の大きさの9.972×10−35÷a×原子数1/3倍になったので、体積はこの値の3乗倍になった。
また、水素原子の集団の体積÷電子のラブができた場の球体の体積＝水素原子の集団の体積÷(2×7.2×10−8m)3＝水素原子の集団の体積÷(2.986×10−21)
この体積の増加によりビッグバンがおきた。
各々の電磁気について、水素原子ができる場のA、電子のラブの自転軌道と公転軌道、水素原子になった集団の大きさ、体積、水素原子になった集団の大きさは、電子のラブができた場の球体の大きさの何倍か、水素原子になった集団の体積は、電子のラブができた場の球体の体積の何倍かを表にして示す。
表12
2012105368.tif 000014
この表によって理解できる事。
a.放出した電磁気が1.233×10−17Jの場合、水素原子ができる場の電子のラブの自転軌道は4.600×10−32mであり、公転軌道は1.165×10−24mです。
b. 水素原子になった集団の体積は、電子のラブができた場の球体の体積の2.415×1033倍になったので、空間が拡大(膨張)し、ビッグバンがおきた。
【産業上の利用可能性】
【０００９】
物質の原初、ビッグバンの以前の様子、電子のラブと陽子のラブがどのようにできたか、ビッグバンはなぜ起きたかを理解する事は科学の発展に役立つ。
【符号の説明】
【００１０】
１    陽子のラブの集団の大きさは7.84×10−11mです。
２    球体の半径は7.2×10−8mです。
３    球体の表面の電子のラブの厚さは4.0×10−21mです。
４    陽子のラブの集団と電子のラブの集団の間の引力が強くなる
５    陽子のラブの集団と電子のラブの集団が引き合い、衝突し、水素ができ、ビッグバンがおきた。
６    水素
【図１】
2012105368.tif 000021
【図２】
2012105368.tif 000022
【図３】
2012105368.tif 000023
【手続補正書】
【提出日】平成24年2月2日(2012.2.2)
【手続補正１】
【補正対象書類名】明細書
【補正対象項目名】０００７
【補正方法】変更
【補正の内容】
【０００７】
【図１】ビッグバンの以前の電子のラブができた場における、陽子のラブの集団と電子のラブの集団。中央の陽子のラブの集団の大きさは7.84×10−11mです。電子のラブの集団が存在する球体の半径は7.2×10−8mです。球体の表面の電子のラブの厚さは4.0×10−21mです。
【図２】ビッグバンは、陽子のラブの集団と電子のラブの集団の間の引力が強くなり、陽子のラブの集団と電子のラブの集団が引き合い、衝突する事によっておきた。
【図３】衝突し水素ができた。水素になり、電子のラブは公転したので、公転軌道÷自転軌道＝1.058×10−10m÷A÷(4.18×10−18m÷A)＝2.531×107倍大きくなった。長さでは、１個の電子のラブの拡大×原子数1/3＝2.531×107倍×原子数1/3、大きくなった。体積としては、(2.531×107倍×原子数1/3)3になった。それで、ビッグバンはおきた。